(57)【要約】【課題】有効利用できる建物空間の減少を抑制しながら、壁構造部分と一体の柱を設けてある既設建物でも短い工事期間で、しかも、安い工費で、地震発生に伴う梁やスラブの落下を防止できる耐震建物を提供する。【解決手段】スラブ２を支持する梁３と、その梁を支持する柱４とで囲まれた空間部Ａの床面１に、梁が支持する荷重及び梁自体の荷重を負担可能な箱状体５が、その上面６を梁の下面７に近接させて、かつ、一対の柱間における空間部の一部において設置され、箱状体の内側が収納空間Ｃに形成されている。【選択図】図１
2009197551.tif 000002
【特許請求の範囲】
【請求項１】
スラブを支持する梁と、前記梁を支持する柱とで囲まれた空間部の床面に、前記梁が支持する荷重及び梁自体の荷重を負担可能な箱状体が、その上面を前記梁の下面に近接させて、前記空間部の一部において設置され、
前記箱状体の内側が収納空間に形成されている耐震建物。
【請求項２】
上側スラブと、下側スラブとで挟まれた空間部の床面に、前記上側スラブが支持する荷重及びスラブ自体の荷重を負担可能な箱状体が、その上面を前記上側スラブの下面に近接させて設置され、
前記箱状体の内側が収納空間に形成されている耐震建物。
【請求項３】
前記箱状体が、前記スラブ又は前記梁又は前記柱又は前記空間部の床面の少なくとも一つに固定されている請求項１又は２記載の耐震建物。
【発明の詳細な説明】
【技術分野】
【０００１】
本発明は、スラブを支持する梁と、その梁を支持する柱とで囲まれた空間部を有する耐震建物に関する。
【背景技術】
【０００２】
スラブを支持する梁と、その梁を支持する柱とで囲まれた空間部を有する耐震建物では、従来、地震発生に伴って柱に脆性的な破壊が生じると梁やスラブが落下し易い点を考慮して、柱を補強することによって、地震発生に伴う梁やスラブの落下を防止してある。
そして、柱を補強するにあたって、柱の外周部を補強材で全周に亘って一連に囲み、その補強材を柱に対して一体に固定しておくことで、柱の脆性的な破壊に伴う柱側面の膨らみを規制して、その破壊の進行を抑制できるように補強してある（例えば、特許文献１参照。）。
【０００３】
【特許文献１】特開平１０−４６８３５号公報
【発明の開示】
【発明が解決しようとする課題】
【０００４】
このため、上記のように柱を補強することによって、地震発生に伴う梁やスラブの落下を防止してある耐震建物では、柱の外径が大きくなるので有効利用できる建物空間が減少する欠点がある。
また、壁構造部分と一体の柱を設けてある既設建物を耐震化してある耐震建物では、壁構造部分を撤去しなければその柱の外周部を補強材で全周に亘って一連に囲めないので、補強のための工事期間が長くなると共に、壁構造部分の復旧に別途費用が必要になるので、工費が高くなる欠点がある。
本発明は上記実情に鑑みてなされたものであって、有効利用できる建物空間の減少を抑制しながら、壁構造部分と一体の柱を設けてある既設建物でも短い工事期間で、しかも、安い工費で、地震発生に伴う梁やスラブの落下を防止できる耐震建物を提供することを目的とする。
【課題を解決するための手段】
【０００５】
本発明による耐震建物の第１特徴構成は、スラブを支持する梁と、前記梁を支持する柱とで囲まれた空間部の床面に、前記梁が支持する荷重及び梁自体の荷重を負担可能な箱状体が、その上面を前記梁の下面に近接させて、前記空間部の一部において設置され、
前記箱状体の内側が収納空間に形成されている点にある。
【０００６】
〔作用及び効果〕
スラブを支持する梁と、その梁を支持する柱とで囲まれた空間部の床面に、梁が支持する荷重及び梁自体の荷重を負担可能な箱状体が、その上面を梁の下面に近接させて、空間部の一部において設置されているので、梁が支持する荷重及び梁自体の荷重の一部を箱状体に負担させて、柱が負担する荷重を軽減させることにより、従来のように柱を特に補強することなく、地震発生に伴う柱の脆性的な破壊も、地震発生に伴う梁やスラブの落下も防止できる。
そして、箱状体の内側が収納空間に形成されているので、その収納空間を適宜利用することにより、有効利用できる建物空間の減少を抑制できる。
また、梁が支持する荷重及び梁自体の荷重を負担可能な箱状体を鋼鈑で構成しようとする場合、鋼鈑の板厚が大きくなりがちであるが、これを収納空間の棚板で区分けすることにより、薄板でも幅厚比を小さくとることができ、もって、鋼材重量を軽減し、安価かつ簡便に箱状体を構成することができる。
従って、有効利用できる建物空間の減少を抑制しながら、壁構造部分と一体の柱を設けてある既設建物でも短い工事期間で、しかも、安い工費で、地震発生に伴う梁やスラブの落下を防止できる。
【０００７】
本発明による耐震建物の第２特徴構成は、上側スラブと、下側スラブとで挟まれた空間部の床面に、前記上側スラブが支持する荷重及びスラブ自体の荷重を負担可能な箱状体が、その上面を前記上側スラブの下面に近接させて設置され、前記箱状体の内側が収納空間に形成されている点にある。
【０００８】
〔作用及び効果〕
上側スラブと、下側スラブとで挟まれた空間部の床面に、上側スラブが支持する荷重及びスラブ自体の荷重を負担可能な箱状体が、その上面を上側スラブの下面に近接させて設置されているので、上側スラブが支持する荷重及びスラブ自体の荷重の一部を箱状体に負担させて、梁が支持する荷重も、梁を介して柱が負担する荷重も軽減させることにより、従来のように柱を特に補強することなく、地震発生に伴う柱の脆性的な破壊も、地震発生に伴う梁や上側スラブの落下も防止できる。
そして、箱状体の内側が収納空間に形成されているので、その収納空間を適宜利用することにより、有効利用できる建物空間の減少を抑制できる。
また、上側スラブが支持する荷重及びスラブ自体の荷重を負担可能な箱状体を鋼鈑で構成しようとする場合、鋼鈑の板厚が大きくなりがちであるが、これを収納空間の棚板で区分けすることにより、薄板でも幅厚比を小さくとることができ、もって、鋼材重量を軽減し、安価かつ簡便に箱状体を構成することができる。
従って、有効利用できる建物空間の減少を抑制しながら、壁構造部分と一体の柱を設けてある既設建物でも短い工事期間で、しかも、安い工費で、地震発生に伴う梁やスラブの落下を防止できる。
【０００９】
本発明の第３特徴構成は、前記箱状体が、前記スラブ又は前記梁又は前記柱又は前記空間部の床面の少なくとも一つに固定されている点にある。
【００１０】
〔作用及び効果〕
箱状体が、スラブ又は梁又は柱又は空間部の床面の少なくとも一つに固定されているので、地震発生に伴う箱状体の位置ずれや転倒を防止できる。
【発明を実施するための最良の形態】
【００１１】
以下に本発明の実施の形態を図面に基づいて説明する。
〔第１実施形態〕
図１は、複数階の床面１の夫々を構成する鉄筋コンクリート製床スラブ２と、床スラブ２の夫々を支持する複数の鉄筋コンクリート製梁３と、各梁３の端部を支持する複数の鉄筋コンクリート製柱４とを設けてある鉄筋コンクリート造りの既設建物の要部を示し、各階の柱４は、その柱４に伝達された荷重が下側階の柱４に対して軸力として伝達されるように、上下方向に同芯状に位置するように配置してある。
【００１２】
そして、この既設建物において、各階の梁３と柱４とで囲まれた空間部Ａの床面１に、梁３が支持する荷重及び梁自体の荷重を負担可能な耐圧力を備えた鋼などの金属製箱状体５を、その上面６を梁３の下面７に近接させて、かつ、一対の柱４間における空間部Ａの一部において設置して、本発明による耐震建物を構築してある。
【００１３】
前記箱状体５は、略矩形の枠体８の内側に複数の棚板９を取り付けてあって、内側を書籍などの物品収納空間Ｃを形成してあるスチール棚などの金属製家具として使用するものであり、枠体８は、左右の側板材１０と天板材１１と底板材１２とを溶接で互いに一体に接合してあって、柱４に支持されている梁３からの荷重を支持可能な耐圧力を備えている。
【００１４】
そして、箱状体５は、底板材１２を略全面に亘ってモルタルなどの硬質充填材１４を挟んで床面１に接するように設置して、その床面１にビスなどで固定してあり、天板材１１と梁３との隙間にもモルタルなどの硬質充填材１４を挟んで、梁３が支持する荷重の少なくとも一部を確実に負担できるように設置してある。
【００１５】
また、各階に設置してある箱状体５は、その箱状体５に伝達された荷重が下側階に設置してある箱状体５に対して軸力として伝達できるように、下側階に設置してある箱状体５に対して平面視で略同じ位置に設置してある。
【００１６】
〔第２実施形態〕
図２は、本発明による耐震建物の別実施形態を示し、第１実施形態で示した既設建物において、各階毎における梁３で支持された上側床スラブ２（２ａ）と、その梁３の端部を支持する柱４を立設してある下側床スラブ２（２ｂ）とで挟まれた空間部Ｂの床面１に、上側床スラブ２ａが支持する荷重及びスラブ自体の荷重を負担可能な耐圧力を備えた鋼などの金属製の箱状体５を、その上面６を上側床スラブ２ａの下面１３に近接させて設置して、本発明による耐震建物を構築してある。
【００１７】
前記箱状体５は、底板材１２を略全面に亘ってモルタルなどの硬質充填材１４を挟んで床面１に接するように設置して、その床面１にビスなどで固定してあり、天板材１１と上側床スラブ２ａとの隙間にもモルタルなどの硬質充填材１４を挟んで、上側床スラブ２ａが支持する荷重の少なくとも一部を確実に負担できるように設置してある。
その他の構成は第１実施形態と同様である。
【００１８】
〔その他の実施形態〕
１．本発明による耐震建物は、箱状体を、その底板に固定した脚部材を介して、床面に設置してあっても良い。
２．本発明による耐震建物は、箱状体を、その上面を屋上スラブの下面や屋上スラブを支持する梁の下面に近接させて設置してあっても良い。
３．本発明による耐震建物は、箱状体が、上側のスラブに固定されていても、梁に固定されていても、柱に固定されていても良い。
４．本発明による耐震建物は、梁と柱とで囲まれた空間部が、事務処理用の部屋や居室，地下室，廊下，機械室などを形成する空間部であっても良い。
５．本発明による耐震建物は、上側スラブと下側スラブとで挟まれた空間部が、事務用の部屋や居室，地下室，廊下，機械室などを形成する空間部であっても良い。
６．本発明による耐震建物は、箱状体として、内側を衣類などの物品収納空間に形成してあるスチールロッカーや、内側に多数の物品収納用引き出しを設けてあるスチールケース（クローゼット）、ガイドレールに沿って移動自在に支持してある移動棚などの各種用途の金属製家具、或いは、観賞魚などを飼育するための水の収納空間を内側に形成してある水槽を設置してあっても良い。
７．本発明による耐震建物は、新築建物において、箱状体を、その上面を梁の下面やスラブの下面に近接させて設置することにより構築してあっても良い。
８．尚、前記箱状体の上面は、梁の下面やスラブの下面に近接させて配置するだけで、それらの間隙にモルタル等の充填材を介在させないで設置してあるものでも良い。
【図面の簡単な説明】
【００１９】
【図１】（ａ）第１実施形態を示す耐震建物の要部側面図、（ｂ）第１実施形態を示す耐震建物の要部平面図
【図２】（ａ）第２実施形態を示す耐震建物の要部側面図、（ｂ）第２実施形態を示す耐震建物の要部平面図
【符号の説明】
【００２０】
１  床面
２  スラブ
２ａ  上側スラブ
２ｂ  下側スラブ
３  梁
４  柱
５  箱状体
６  箱状体の上面
７  梁の下面
１３  上側スラブの下面
Ａ  梁と柱で囲まれた空間部
Ｂ  上側スラブと下側スラブで挟まれた空間部
Ｃ  収納空間
【図１】
2009197551.tif 000003
【図２】
2009197551.tif 000004